(57)【特許請求の範囲】
【請求項１】
複数Ｐの入方路を介して個別に与えられる信号を受信し、その信号に含まれる伝送情報と、この信号に共に含まれ、かつ従属同期の従属先として割り付けられたクロック優先度とに併せて、時系列の順に付与されたシーケンス番号とを抽出する複数Ｐの受信手段と、
前記複数Ｐの入方路の内、前記複数Ｐの受信手段によって抽出されたシーケンス番号が正常であり、かつ対応するシーケンス番号と共に抽出されたクロック優先度が最大である入方路を基準として従属同期をとる同期制御手段と、
前記同期制御手段によってとられた従属同期の下で、前記複数Ｐの入方路に個別に対応した複数Ｑの出方路に送出されるべきシーケンス番号を生成するシーケンス番号生成手段と、
前記複数Ｐの受信手段によって抽出されたクロック優先度の内、前記同期制御手段が前記従属同期の基準としている入方路を介して与えられた特定のクロック優先度と、前記シーケンス番号生成手段によって生成されたシーケンス番号とに併せて、前記複数Ｑの出方路を介して対向するノード装置に伝達されるべき伝送情報が含まれてなる伝送単位をこれらの出方路に個別に送信する複数Ｑの送信手段と
を備えたことを特徴とするノード装置。
【請求項２】
請求項１に記載のノード装置において、
複数Ｐの受信手段によって抽出されたクロック優先度の内、同期制御手段が従属同期の基準としている入方路を介して与えられた特定のクロック優先度の低下を監視する監視手段と、
前記同期制御手段は、
前記監視手段によって前記特定のクロック優先度の低下が識別されたときに、その時点を起点とし、かつ自局に予め付与されたクロック優先度が高いほど短く設定された期間に亘って、前記従属同期の基準となるべき入方路の変更を保留する
ことを特徴とするノード装置。
【請求項３】
請求項２に記載のノード装置において、
同期制御手段は、
複数Ｐの入方路の内、従属同期の基準として適用した入方路を保持し、かつ期間が経過した時点で最大のクロック優先度を与える入方路が複数あるときには、その時点で保持されている入方路を優先的に適用する
ことを特徴とするノード装置。
【請求項４】
請求項１ないし請求項３の何れか１項に記載のノード装置において、
複数Ｐの受信手段は、
複数Ｐの入方路の内、同期制御手段が従属同期の基準として適用している入方路を介して与えられる信号については、その他の入方路を介して与えられる信号より先行してクロック優先度の抽出を行う
ことを特徴とするノード装置。
【請求項５】
請求項１ないし請求項４の何れか１項に記載のノード装置において、
複数Ｐの受信手段は、
伝送単位の語長Ｌと、複数Ｐの入方路を介して先行する伝送区間および複数Ｑの出方路を介して後続する伝送区間とに配置され得るノード装置の最大の台数Ｎと、これらの入方路および出方路を含んでなる伝送路で生じ得る伝送遅延時間の最大値Ｄとに対して、語長が（Ｎ・Ｌ＋Ｄ）以上であり、かつ自己相関特性が急峻であると共に、これらの入方路を介して個別に受信された信号に含まれる第一のバイオレーションビットを抽出し、
同期制御手段は、
前記複数Ｐの受信手段によって受信された信号の内、従属同期の基準として適用している入方路を介して受信された信号について、前記第一のバイオレーションビットが正常に含まれているか否かを判別し、その判別の結果が偽であるときにこの従属同期の基準となるべき入方路を変更し、
複数Ｑの送信手段は、
複数Ｑの出方路に送信されるべき伝送単位に、前記複数Ｐの受信手段によって抽出された第一のバイオレーションビットの内、前記同期制御手段１２が前記従属同期の基準として適用している入方路から与えられた第一のバイオレーションビットを付加する
ことを特徴とするノード装置。
【請求項６】
請求項１ないし請求項５の何れか１項に記載のノード装置において、
複数Ｐの受信手段は、
伝送単位の語長Ｌと、複数Ｐの入方路を介して対向する何れかのノード装置との間、あるいはこれらの入方路に先行する何れかの伝送区間に配置され、かつ互いに隣接する複数のノード装置の間に形成された特定の伝送区間に配置され得るノード装置の最大の台数ｎと、その特定の伝送区間で生じ得る伝送遅延時間の最大値ｄとに対して、語長が（ｎ・Ｌ＋ｄ）以上であり、かつ自己相関特性が急峻であると共に、これらの入方路を介して個別に受信された信号に含まれる第二のバイオレーションビットを抽出し、
同期制御手段は、
前記複数Ｐの受信手段によって受信された信号の内、従属同期の基準として適用している入方路を介して受信された信号について、前記第二のバイオレーションビットが正常に含まれているか否かを判別し、その判別の結果が偽であるときにこの従属同期の基準となるべき入方路を変更し、
複数Ｑの送信手段は、
複数Ｑの出方路に送信すべき伝送単位に、前記複数Ｐの受信手段によって抽出された第二のバイオレーションビットの内、前記同期制御手段が前記従属同期の基準として適用している入方路から与えられた第二のバイオレーションビットを付加する
ことを特徴とするノード装置。
【請求項７】
請求項１ないし請求項６の何れか１項に記載のノード装置において、
同期制御手段は、
複数Ｐの入方路の内、従属同期の基準として適用している入方路を介して受信されたシーケンス番号について、これらの入方路を介して先行する伝送区間の構成の下で過渡的に不正常な値をとり得る最大の期間Ｕ以上の期間に亘ってその不正常な値を無効化する
ことを特徴とするノード装置。
【発明の詳細な説明】
【０００１】
【発明の属する技術分野】
本発明は、従属同期方式が適用された通信網の分岐点や中継点に配置され、かつ伝送情報の中継や転送にかかわる通信処理を行うノード装置に関する。
【０００２】
【従来の技術】
ディジタル同期網では、個々のノード装置（局）で非同期に生成されるクロックの周波数の偏差や変動に起因する伝送情報の欠落および重複の回避を目的として、安定度が高い原子発振器をクロック源とする独立同期方式と、網内に予め定められた主局のみに同様の原子発振器が搭載され、かつ従局に個別に備えられた位相同期発振器（ＰＬＯ）がこの原子発振器に対して同期をとる従属同期方式と、各局に備えられた位相同期発振器がディジタル伝送路を介して互いに同期をとる相互同期方式との何れかが適用される。
【０００３】
しかし、同期多重化が特定のディジタル・ハイアラキの信号のみについて行われ、かつ何れの伝送区間についても保守や運用の形態が共通であって伝送路の物理的な距離が比較的短いディジタル同期網では、上述した３つの方式の内、コストや信頼性にかかわる要求および制約に対する柔軟な適応が可能である従属同期方式が多く採用されている。
【０００４】
図８は、従属同期方式が適用された伝送系の構成例を示す図である。
図において、マスタノード装置１００-1の２つの入方路には伝送方向が互いに反対である２つの単信方式の伝送路１０１-R、１０１-Lの一端がそれぞれ接続され、これらの伝送路１０１-R、１０１-Lの中継点には、そのマスタノード装置１００-1に近い順に、スレーブノード装置１０２-1、１０２-2、準マスタノード装置１００-3、スレーブノード装置１０２-3、１０２-4、準マスタノード装置１００-2およびスレーブノード装置１０２-5が配置される。
【０００５】
図９は、ノード装置の構成例を示す図である。
図において、例えば、準マスタノード装置１００-3では、伝送路１０１-R、１０１-Lにそれぞれ対応した入方路には伝送路対応部１０３-3R、１０３-3Lの入力が接続され、これらの伝送対応部１０３-3R、１０３-3Lのペイロード出力にはそれぞれ伝送情報ｒＲと伝送情報ｒＬとが得られる。伝送路対応部１０３-3R、１０３-3L の制御出力はそれぞれシーケンス番号処理部１０４-3とＩＤ抽出部１０５-3との対応する入力に接続され、これらの伝送路対応部１０３-3R、１０３-3Lのクロック出力はそれぞれクロック生成部１０６-3の対応するクロック入力に接続される。シーケンス番号処理部１０４-3が有する２つのシーケンス番号出力は中継選択部１０７-3の対応する入力に接続され、その中継選択部１０７-3の出力はセレクタ１０８-3の一方の入力に接続される。クロック生成部１０６-3の第一の出力にはシステムクロックＳＣＬＫが得られ、かつそのクロック生成部１０６-3の第二の出力はシーケンス番号生成部１０９-3の入力に接続される。シーケンス番号生成部１０９-3の出力は、セレクタ１０８-3の他方の入力に接続される。ＩＤ抽出部１０５-3が有する２つの出力とシーケンス番号処理部１０４-3の制御出力とは系構成制御部１１０-3の対応する入力に接続され、その系構成制御部１１０-3の局モード入力には自局が主局、準主局および従局の内、自局が該当する局の種別を示す「局モード」が与えられる。系構成制御部１１０-3の選択出力は、中継選択部１０７-3、ＩＤ抽出部１０５およびクロック生成部１０６-3の選択入力に接続される。系構成制御部１１０-3の局モード出力Ｍ（主局あるいは準主局を示す。）、Ｓ（従局を示す。）の内、局モード出力Ｍはそれぞれセレクタ１０８-3、シーケンス番号生成部１０９-3およびクロック生成部１０６-3の対応する選択入力に接続され、かつ局モード出力Ｓはセレクタ１０８-3およびクロック生成部１０６-3の対応する選択入力に接続される。セレクタ１０８-3の出力は多重化部１１１-3R、１１１-3Lの第一の入力に接続され、これらの多重化部１１１-3R、１１１-3Lの第二の入力には系構成制御部１１０-3のＩＤ出力が接続される。多重化部１１１-3R、１１１-3Lの第三の入力にはそれぞれ後続する伝送区間に送出されるべき伝送情報ｓＲと伝送情報ｓＬとが与えられ、これらの多重化部１１１-3R、１１１-3Lの出力はそれぞれ伝送路１０１-R、１０１-Lの後続する伝送区間に接続される。
【０００６】
また、クロック生成部１０６-3では、セレクタ１１２-3が有する２つの入力に伝送路対応部１０３-3R、１０３-3Lのクロック出力が接続され、そのセレクタ１１２-3の選択入力には系構成制御部１１０-3の選択出力が接続される。セレクタ１１２-3の出力はクロック発生部１１３-3の制御入力とセレクタ１１４-3の一方の入力とに接続され、そのクロック発生部１１３-3の出力はセレクタ１１４-3の他方の入力に接続される。セレクタ１１４-3の選択入力には系構成制御部１１０-3の局モード出力Ｍ、Ｓが接続され、そのセレクタ１１４-3の出力は位相同期発振器（ＰＬＯ）１１５-3の入力に接続される。位相クロック発振器１１５-3が有する２つの出力の内、一方はシーケンス番号生成部１０９-3の入力に接続され、他方には既述のシステムクロックＳＣＬＫが得られる。
【０００７】
なお、マスタノード装置１００-1の構成については、クロック生成部１０６-3に代えてクロック生成部１０６-1が備えられ、かつ図９に点線で示すようにそのクロック生成部１０６-1には、
・  既述のセレクタ１１２-3、１１４-3に相当するセレクタが備えられず、
・  位相同期発振器１１５-3に代えて位相同期発振器１１５-1が備えられ、
・  その位相クロック発振器１１５-1の入力に直結されたクロック発生部１１３  -1がクロック発生部１１３-1に代えて備えられた
点を除いて、準マスタノード装置１００-3の構成と同じであるので、以下では、添え番号「１」が付加された同じ符号を対応する構成要素に付加し、ここでは、その詳細な説明および図示を省略する。
【０００８】
また、準マスタノード装置１００-2の構成については、準マスタノード装置１００-3の構成と同じであるので、以下では、添え番号「２」が付加された同じ符号を対応する構成要素に付加し、ここでは、その説明および図示を省略する。
さらに、スレーブノード装置１０２-1〜１０２-5の構成については、図９に網掛けを付して示すように、
・  クロック生成部１０６-3に対応するクロック生成部に、クロック発生部１１３-3とセレクタ１１４-3とに相当する構成要素が備えられず、
・  セレクタ１１２-3に相当するセレクタの出力が位相同期発振器１１５-3に相当する位相クロック発振器の入力に直結された
点を除いて、準マスタノード装置１００-3の構成要素と同じであるので、以下では、添え番号「Ｓ１」〜「Ｓ５」が付加された同じ符号を対応する構成要素に付加し、ここでは、その詳細な説明および図示を省略する。
【０００９】
このような構成の従来例では、マスタノード装置１００-1、準マスタノード装置１００-2、１００-3およびスレーブノード装置１０２-1〜１０２-5には、それぞれ自局が従属同期方式の基準となるべき順位を示すクロック優先度として、ユニークな「１」、「２」、「３」、「Ｓ１」〜「Ｓ５」が予め割り付けられる。また、マスタノード装置１００-1と、準マスタノード装置１００-2、１００-3と、スレーブノード装置１０２-1〜１０２-5とにそれぞれ備えられた系構成制御部１１０-1、１１０-2〜１１０-3、１１０-S1〜１１０-S5には、既述の主局（準主局）および従局として稼働すべき旨を示す「局モード」が予め与えられる。
【００１０】
マスタノード装置１１０-1では、系構成制御部１１０-1は、この「局モード」に基づいて「自局が主局として稼働すること」を識別し、後述するようにＩＤ抽出部１０５-1から与えられるクロック優先度の如何にかかわらず、シーケンス番号生成部１０９-1およびセレクタ１０８-1にその旨を示す「局モード情報」を与える。さらに、系構成制御部１１０-1は、多重化部１１１-3R、１１１-3Rに、後続する伝送区間に送出されるべきクロック優先度ｓとして上述した「１」を与える。
【００１１】
クロック生成部１０６-1では、クロック発生部１１３-1は所望の高い精度および安定度で基準信号を生成し、位相同期発振器１１５-1はその基準信号に同期したシステムクロックＳＣＬＫと、このシステムクロックＳＣＬＫに同期したフレーム同期信号とを生成する。なお、このようなシステムクロックＳＣＬＫはマスタノード装置１００-1の各部に分配され、これらの各部で後述するように行われる処理の過程で時間軸上の基準として適用されるが、その過程については、以下では、簡単のため、詳細な説明を省略する。
【００１２】
伝送路対応部１０３-1R、１０３-1Lは、伝送路１０１-Rを介して対向する先行するノード装置（ここでは、簡単のため、図示を省略する。）と、伝送路１０１-Lを介して対向するスレーブノード装置１０２-1とから送信され、かつ図１０に示すフレーム構成で与えられるフレームを受信する。さらに、伝送路対応部１０３-1R、１０３-1Lは、これらのフレームに含まれる伝送情報と、その伝送情報と共に含まれるクロック優先度およびシーケンス番号の組み合わせとを分離して得る。
【００１３】
なお、これらの伝送情報、クロック優先度およびシーケンス番号については、以下では、後続する伝送区間に送信されるべき伝送情報、クロック優先度およびシーケンス番号との峻別をはかるために、「受信」を意味する添え文字「ｒ」に併せて、伝送路１０１-R、１０１-Lの内、該当する入方路をそれぞれ示す添え文字「Ｒ」あるいは「Ｌ」を付して示すこととする。
【００１４】
シーケンス番号生成部１０９-1は、上述した「局モード情報」が「自局が主局として稼働すべきこと」を示す場合には、位相同期発振器１１５-1によって生成されたフレーム同期信号の周期で、リサイクリックにインクリメントされるシーケンス番号ｓ（伝送路１０１-R、１０１-Lの上に配置され得るノード装置の最大の台数以上の値が上限値となる。）を生成する。
【００１５】
セレクタ１０８-1は、同様の「局モード」に基づいてそのシーケンス番号ｓのみを選択する。
多重化部１１１-1R には、このようにして選択されたシーケンス番号ｓおよび上述したクロック優先度ｓ(＝１)に併せて、伝送路１０１-Rの後続する伝送区間に送信されるべき伝送情報ｓＲ（図示されない端局装置等が行う受信処理、送信処理および中継処理の下で生成される。）が与えられる。さらに、多重化部１１１-1R は、これらのシーケンス番号ｓ、クロック優先度ｓおよび伝送情報ｓＲを図１０に示すフレーム構成のフレームに変換し、かつシステムクロックＳＣＬＫに同期して上述した後続する伝送区間にそのフレームを順次送信する。
【００１６】
なお、多重化部１１１-1L によって行われる処理は、上述したシーケンス番号ｓおよびクロック優先度ｓと共にフレームとして多重化されるべき伝送情報が伝送情報ｓＬ（図示されない端局装置等が行う中継その他の処理の下で同様にして生成される。）であり、そのフレームが伝送路１０１-Lに送信される点を除いて、多重化部１１１-1R によって行われる処理と同じであるので、ここでは、その説明を省略する。
【００１７】
すなわち、マスタノード装置１００-1に後続する伝送路１０１-Rの伝送区間Ａには、クロック優先度（＝１）に併せて、フレーム周期でリサイクリックに更新されたシーケンス番号を含むフレームが順次送出される。
したがって、マスタノード装置１００-1は、各部が既述の通りに正常に作動する期間には、準マスタノード装置１００-2、１００-3およびスレーブノード装置１０２-1〜１０２-5に対して従属同期の基準として稼働し、かつ中継処理その他の通信処理を行う。
【００１８】
なお、準マスタノード装置１００-2、１００-3およびスレーブノード装置１０２-1〜１０２-5では、マスタノード装置１００-1に備えられた伝送路対応部１０３-1R、１０３-1Lおよび多重化部１１１-1R、１１１-1Lに相当する伝送対応部および多重化部の動作については、これらの伝送路対応部１０３-1R、１０１-1Lおよび多重化部１１１-1R、１１１-1Lの動作と基本的に同じであるので、以下では、その説明を省略する。
【００１９】
また、スレーブノード装置１０２-1では、ＩＤ抽出部１０５-S1 は、伝送路対応部１０３-S1R、１０３-S1Lによって先行する伝送区間Ａ、Ｂを介して受信され、かつ得られた組み合わせからクロック優先度ｒＲとクロック優先度ｒＬとを抽出すると共に、それぞれこれらの組み合わせを含んでなるフレームに同期したクロック信号ＣＬＫ-R、ＣＬＫ-Lを生成する。
【００２０】
さらに、シーケンス番号処理部１０４-S1 は、同様の組み合わせからシーケンス番号ｒＲとシーケンス番号ｒＬとを抽出し、これらのシーケンス番号ｒＲ、ｒＬがそれぞれリサイクリックに正常に更新されているか否かを判別すると共に、その判別の結果を系構成制御部１１０-S1 に与える。
系構成制御部１１０-S1 は、予め与えられている局モードが「自局が従局として稼働すべきこと」を示すので、そのことを示す「局モード情報」をシーケンス番号生成部１０９-S1 およびセレクタ１０８-S1 に与える。
【００２１】
シーケンス番号生成部１０９-S1 は、その「局モード情報」に基づいて「自局が主局と準主局との何れとしても稼働しない」ことを識別すると、シーケンス番号の生成を取り止める。
さらに、系構成制御部１１０-S1 は、上述したクロック優先度ｒＲとクロック優先度ｒＬとの内、シーケンス番号処理部１０４-S1 によって与えられた判別の結果が「真」であるものに対応し、かつ値が小さいクロック優先度（以下、「被中継クロック優先度」という。）が受信された入方路（伝送路１０１-R、１０１-Lの先行する伝送区間の何れか一方）を示す系選択信号を出力し、その被中継クロック優先度をクロック優先度ｓとして多重化部１１１-S1R、１１１-S1Lに与える。
【００２２】
中継選択部１０７-S1 は、シーケンス番号処理部１０４-S1 によって抽出されたシーケンス番号ｒＲとシーケンス番号ｒＬとの内、この系選択信号によって示される入方路を介して得られた一方を選択する。
【００２３】
セレクタ１０８-S1 は、上述した「局モード情報」に基づいて「自局が従局として稼働すべきこと」を識別し、かつ中継選択部１０７-S1 によって選択されたシーケンス番号を既述のシーケンス番号ｓとして多重化部１１１-S1R、１１１-S1Lに与える。
クロック生成部１０６-S1 では、セレクタ１１２-S1 は、伝送路対応部１０３-S1R、１０３-S1Lによってそれぞれ生成されたクロック信号の内、上述した系選択信号に対応する一方のクロック信号を選択する。セレクタ１１４-S1 は、既述の「局モード情報」が「自局が従局として稼働すべきこと」を示すので、セレクタ１１２-S1 によって選択されたクロック信号を基準信号として位相同期発振器１１５-S1 に与える。
【００２４】
したがって、スレーブノード装置１０２-1では、伝送路１０１-R、１０１-Lの先行する伝送区間の内、これらの伝送区間を介して個別に受信されたフレームに含まれるクロック優先度が小さい一方に対して従属同期方式に基づいて同期を確立し、かつ中継処理その他の通信処理を行う。
なお、スレーブノード装置１０２-2〜１０２-5および準マスタノード装置１００-2、１００-3における上述したシーケンス番号処理部１０４-S1、ＩＤ抽出部１０５-S1、中継選択部１０７-S1、セレクタ１０８-S1、１１２-S1、１１４-S1 および位相同期発振器１１５-S1 に相当する各部の動作については、スレーブノード装置１０２-1における既述の動作と基本的に同じであるので、以下では、その説明を省略する。
【００２５】
また、準マスタノード装置１００-3では、クロック発生部１１３-3は、主ノード装置１００-1に備えられたクロック発生部１１３-1によって生成される基準信号に対して、周波数および位相が共に所望の高い精度に保たれた基準信号を自立的に生成する。
さらに、伝送路対応部１０３-3R、１０３-3Lがそれぞれ伝送路１０１-R、１０１-Lの先行する伝送区間から所定のフレームを正常に受信でき、かつこれらの伝送路対応部１０３-3R、１０３-3Lを含む各部が正常に作動している期間には、準マスタノード装置１００-3の全ての構成要素は、既述のスレーブノード装置１０２-1と同様にして連係することによって、従局として稼働する。
【００２６】
ところで、スレーブノード装置１０２-1〜１０２-5（以下、スレーブノード装置１０２-1〜１０２-5に共通の事項については、添え番号「１」〜「５」を代表する小文字の「ｋ」を符号「１０２」に付加して記述することとする。）では、シーケンス番号処理部１０４-Sk は、シーケンス番号ｒＲとシーケンス番号ｒＬとが正常に更新されているか否かを個別に判別し、これらの判別の結果をそれぞれ示す連続性判別情報Ｒ、Ｌを系構成制御部１１０-Sk に与える。
【００２７】
系構成制御部１１０-Sk は、ＩＤ抽出部１０５-Sk によって与えられる２つのクロック優先度ｒＲとクロック優先度ｒＬとの内、上述した連続性判別情報Ｒと連続性判別情報Ｌとで示される判別の結果が「偽」であるものに対応するクロック優先度以外の優先度と、予め自局に割り付けられたクロック優先度との内、最も高いクロック優先度を選択して多重化部１１１-SR、１１１-SLにクロック優先度ｓとして与える。
【００２８】
さらに、系構成制御部１１０-Sk はこのようにして選択されたクロック優先度ｓと自局に予め割り付けられたクロック優先度とを比較し、前者が後者より高い場合には何ら特別な処理を行わないので、既述の通りに各部が連係することによって従局として稼働し続ける。
しかし、系構成制御部１１０-Sk は、前者が後者より低い場合には、「自局が暫定的に主局として稼働すべきこと」を示す「局モード情報」を出力する。
【００２９】
このような「局モード情報」が与えられる状態では、シーケンス番号生成部１０９-Sk は自立的にシーケンス番号を生成し、かつセレクタ１０８-Sk はそのシーケンス番号をシーケンス番号ｓとして多重化部１１１-SkR、１１１-SkLに与える。さらに、位相同期発振器１１５-Sk は、セレクタ１１４-SkLから何ら基準信号が与えられないので、自走状態に移行し、かつシステムクロックＳＣＬＫとフレーム同期信号とを自立的に生成する。
【００３０】
したがって、スレーブノード装置１０２-kは、先行する伝送区間に配置され、かつ正常に作動する何れのノード装置のクロック優先度より自局のクロック優先度が高い場合には、位相同期発振器１１５-kによって生成されるシステムクロックＳＣＬＫとフレーム同期信号との精度および安定度の範囲で、暫定的に主局として稼働し、伝送路１０１-R、１０１-Lの上に配置された他の全てのノード装置に対する従属同期の基準となることができる。
【００３１】
また、準マスタノード装置１００-2、１００-3（以下、これらの準マスタノード装置１００-2〜１００-3に共通の事項については、添え番号「１」、「２」を代表する大文字の「Ｋ」を符号「１００」に付加して記述することとする。）では、各部は、基本的にスレーブノード装置１０２-kについて既述された通りに連係する。
【００３２】
しかし、系構成制御部１１０-Kによって出力される「局モード情報」が「自局が主局として稼働すべきこと」を示す期間には、セレクタ１１４-Kは、クロック発生部１１３-Kによって生成され、精度および安定性が高い基準信号を位相同期発振器１１５-Kに与える。
さらに、マスタノード装置１００-1および準マスタノード装置１００-Kでは、系構成制御部１１０-1、１１０-Kは、シーケンス番号処理部１０４-1、１０４-Kによって既述の通りに与えられる判別の結果に併せて、各部の動作の正否を監視し、何らかの障害が発生したことを識別した場合には、自局に予め割り付けられていたクロック優先度を小さな値（例えば、マスタノード装置１００-1においては、「１」に代わる「１０」(＞２、＜１０１))に更新する。
【００３３】
したがって、後続する伝送区間に配置された準マスタノード装置１００-Kは、先行する伝送区間に配置され、かつ正常に作動する全てのノード装置のクロック優先度より自局のクロック優先度が高い場合には、上述した基準信号の精度および安定性の範囲において、マスタノード装置１００-1に代わって主局として稼働し、伝送路１０１-R、１０１-Lの上に配置されたノード装置に対する従属同期の基準となることができる。
【００３４】
このように従来例では、主局として稼働するマスタノード装置１００-1あるいは準マスタノード装置１００-2、１００-3のみによって生成されたシーケンス番号が伝送路１０１-R、１０１-Lの上に配置された全てのノード装置に伝達され、そのシーケンス番号の更新の正否が判別されることによって、これらの伝送路１０１-R、１０１-Lに沿って隣接する単一または複数のノード装置が主局に従属同期しない状態が検出され、その状態からの脱却が確実にはかられると共に、正常に稼働するノード装置の内、予め設定されたクロック優先度が最も高いノード装置が他のノード装置に対する従属同期の基準として主局を代行するので、従属同期網が確度高く維持される。
【００３５】
【発明が解決しようとする課題】
ところで、このような従来例では、マスタノード装置１００-1、準マスタノード装置１００-Kおよびスレーブノード装置１０２-kは、何れも主局として稼働する他の何らかのノード装置に代わって主局として稼働し始める際には、シーケンス番号生成部１０９-1、１０９-K、１０９-kは、先行して主局として稼働していたノード装置によって生成されていたシーケンス番号に対する連続性が何ら担保されることなく、既述の通りにリサイクリックに更新されるシーケンス番号を新たに生成し始める。
【００３６】
すなわち、図８に示す伝送区間Ａ〜Ｈを介して伝送されるシーケンス番号が不正常な位相で更新されるために、マスタノード装置１００-1、準マスタノード装置１００-Kおよびスレーブノード装置１０２-kは、その時点における状態とクロック優先度とに適応した主局や従局として定常的に稼働し始める時点に先行して、過渡的に無用に従局あるいは主局として稼働する（以下、このように過渡的に生じる現象を単に「擾乱」という。）可能性があった。
【００３７】
さらに、このような擾乱は、上述した伝送区間Ａ〜Ｈの内、障害が発生した伝送区間やノード装置に後続し、かつ直近の準マスタノード装置に後続する個々の伝送区間にも波及するために、その準マスタノード装置に搭載されたクロック発生部によって生成される高安定の基準信号は有効に理されていなかった。
また、その擾乱の過程では、マスタノード装置１００-1、準マスタノード装置１００-Kおよびスレーブノード装置１０２-kが定常的に主局や従局として稼働し始める時点に先行して、系構成制御部１１０-1、１１０-K、１１０-kが無用に系構成を変更するために、従属同期網全体として達成されるべき系構成の効率的な更新が阻害され、かつ複数の障害がほぼ並行して発生した場合には、伝送路が正常に維持されない可能性があった。
【００３８】
さらに、シーケンス番号については、伝送路１０１-R、１０１-Lに配置され得る最大のノード装置の台数Ｎ以上の値を示す情報としてフレームの所定のフィールドに配置されなければならないために、その台数Ｎが大きい場合には伝送効率が低下し、あるいは従属同期の基準となる入方路の迅速な変更が妨げられる可能性があった。
【００３９】
本発明は、構成の大幅な変更と伝送効率の低下とを伴うことなく、効率的に確度高く従属同期系が維持されるノード装置を提供することを目的とする。
【００４０】
【課題を解決するための手段】
図１は、請求項１〜７に記載の発明の原理ブロック図である。
【００４１】
請求項１に記載の発明は、複数Ｐの入方路を介して個別に与えられる信号を受信し、その信号に含まれる伝送情報と、この信号に共に含まれ、かつ従属同期の従属先として割り付けられたクロック優先度とに併せて、時系列の順に付与されたシーケンス番号とを抽出する複数Ｐの受信手段１１-1〜１１-Pと、複数Ｐの入方路の内、複数Ｐの受信手段１１-1〜１１-Pによって抽出されたシーケンス番号が正常であり、かつ対応するシーケンス番号と共に抽出されたクロック優先度が最大である入方路を基準として従属同期をとる同期制御手段１２と、同期制御手段１２によってとられた従属同期の下で、複数Ｐの入方路に個別に対応した複数Ｑの出方路に送出されるべきシーケンス番号を生成するシーケンス番号生成手段１３と、複数Ｐの受信手段１１-1〜１１-Pによって抽出されたクロック優先度の内、同期制御手段１２が従属同期の基準としている入方路を介して与えられた特定のクロック優先度と、シーケンス番号生成手段１３によって生成されたシーケンス番号とに併せて、複数Ｑの出方路を介して対向するノード装置に伝達されるべき伝送情報が含まれてなる伝送単位をこれらの出方路に個別に送信する複数Ｑの送信手段１４-1〜１４-Qとを備えたことを特徴とする。
【００４２】
請求項２に記載の発明は、請求項１に記載のノード装置において、複数Ｐの受信手段１１-1〜１１-Pによって抽出されたクロック優先度の内、同期制御手段１２が従属同期の基準としている入方路を介して与えられた特定のクロック優先度の低下を監視する監視手段２１と、同期制御手段１２は、監視手段２１によって特定のクロック優先度の低下が識別されたときに、その時点を起点とし、かつ自局に予め付与されたクロック優先度が高いほど短く設定された期間に亘って、従属同期の基準となるべき入方路の変更を保留することを特徴とする。
【００４３】
請求項３に記載の発明は、請求項２に記載のノード装置において、同期制御手段１２は、複数Ｐの入方路の内、従属同期の基準として適用した入方路を保持し、かつ期間が経過した時点で最大のクロック優先度を与える入方路が複数あるときには、その時点で保持されている入方路を優先的に適用することを特徴とする。
【００４４】
請求項４に記載の発明は、請求項１ないし請求項３の何れか１項に記載のノード装置において、複数Ｐの受信手段１１-1〜１１-Pは、複数Ｐの入方路の内、同期制御手段１２が従属同期の基準として適用している入方路を介して与えられる信号については、その他の入方路を介して与えられる信号より先行してクロック優先度の抽出を行うことを特徴とする。
【００４５】
請求項５に記載の発明は、請求項１ないし請求項４の何れか１項に記載のノード装置において、複数Ｐの受信手段１１-1〜１１-Pは、伝送単位の語長Ｌと、複数Ｐの入方路を介して先行する伝送区間および複数Ｑの出方路を介して後続する伝送区間とに配置され得るノード装置の最大の台数Ｎと、これらの入方路および出方路を含んでなる伝送路で生じ得る伝送遅延時間の最大値Ｄとに対して、語長が（Ｎ・Ｌ＋Ｄ）以上であり、かつ自己相関特性が急峻であると共に、これらの入方路を介して個別に受信された信号に含まれる第一のバイオレーションビットを抽出し、同期制御手段１２は、複数Ｐの受信手段１１-1〜１１-Pによって受信された信号の内、従属同期の基準として適用している入方路を介して受信された信号について、第一のバイオレーションビットが正常に含まれているか否かを判別し、その判別の結果が偽であるときにこの従属同期の基準となるべき入方路を変更し、複数Ｑの送信手段１４-1〜１４-Qは、複数Ｑの出方路に送信されるべき伝送単位に、複数Ｐの受信手段１１-1〜１１-Pによって抽出された第一のバイオレーションビットの内、同期制御手段１２が従属同期の基準として適用している入方路から与えられた第一のバイオレーションビットを付加することを特徴とする。
【００４６】
請求項６に記載の発明は、請求項１ないし請求項５の何れか１項に記載のノード装置において、複数Ｐの受信手段１１-1〜１１-Pは、伝送単位の語長Ｌと、複数Ｐの入方路を介して対向する何れかのノード装置との間、あるいはこれらの入方路に先行する何れかの伝送区間に配置され、かつ互いに隣接する複数のノード装置の間に形成された特定の伝送区間に配置され得るノード装置の最大の台数ｎと、その特定の伝送区間で生じ得る伝送遅延時間の最大値ｄとに対して、語長が（ｎ・Ｌ＋ｄ）以上であり、かつ自己相関特性が急峻であると共に、これらの入方路を介して個別に受信された信号に含まれる第二のバイオレーションビットを抽出し、同期制御手段１２は、複数Ｐの受信手段１１-1〜１１-Pによって受信された信号の内、従属同期の基準として適用している入方路を介して受信された信号について、第二のバイオレーションビットが正常に含まれているか否かを判別し、その判別の結果が偽であるときにこの従属同期の基準となるべき入方路を変更し、複数Ｑの送信手段１４-1〜１４-Qは、複数Ｑの出方路に送信すべき伝送単位に、複数Ｐの受信手段１１-1〜１１-Pによって抽出された第二のバイオレーションビットの内、同期制御手段１２が従属同期の基準として適用している入方路から与えられた第二のバイオレーションビットを付加することを特徴とする。
【００４７】
請求項７に記載の発明は、請求項１ないし請求項６の何れか１項に記載のノード装置において、同期制御手段１２は、複数Ｐの入方路の内、従属同期の基準として適用している入方路を介して受信されたシーケンス番号について、これらの入方路を介して先行する伝送区間の構成の下で過渡的に不正常な値をとり得る最大の期間Ｕ以上の期間に亘ってその不正常な値を無効化することを特徴とする。
【００４８】
（作用）
請求項１に記載の発明にかかわるノード装置では、受信手段１１-1〜１１-Pは、複数Ｐの入方路を介して個別に与えられる信号を受信し、その信号に含まれる伝送情報と、この信号に共に含まれ、かつ従属同期の従属先として割り付けられたクロック優先度とに併せて、時系列の順に付与されたシーケンス番号とを抽出する。同期制御手段１２は、これらの入方路の内、受信手段１１-1〜１１-Pによって抽出されたシーケンス番号が正常であり、かつ対応するシーケンス番号と共に抽出されたクロック優先度が最大である入方路を基準として従属同期をとる。シーケンス番号生成手段１３は、その従属同期の下で、上述した複数Ｐの入方路に個別に対応した複数Ｑの出方路に送出されるべきシーケンス番号を生成する。送信手段１４-1〜１４-Qは、受信手段１１-1〜１１-Pによって抽出されたクロック優先度の内、同期制御手段１２が従属同期の基準としている入方路を介して与えられた特定のクロック優先度と、シーケンス番号生成手段１３によって生成されたシーケンス番号とに併せて、上述した複数Ｑの出方路を介して対向するノード装置に伝達されるべき伝送情報が含まれてなる伝送単位をこれらの出方路に個別に送信する。
【００４９】
すなわち、複数Ｐの入方路を介して先行する伝送区間から与えられたシーケンス番号は複数Ｑの出方路を介して後続する伝送区間に中継されず、これらの後続する伝送区間に送出されるべきシーケンス番号は伝送区間毎に付与される。
したがって、これらの先行する伝送区間の何れかに発生した障害に応じてシーケンス番号の値が不正常となった場合であっても、後続する伝送区間で従属同期の基準となる入方路がそのシーケンス番号に応じて無用に変更されることが回避される。
【００５０】
請求項２に記載の発明にかかわるノード装置では、請求項１に記載のノード装置において、監視手段２１は、受信手段１１-1〜１１-Pによって抽出されたクロック優先度の内、同期制御手段１２が従属同期の基準としている入方路を介して与えられた特定のクロック優先度の低下を監視する。同期制御手段１２は、その特定のクロック優先度の低下が識別された場合には、その時点を起点とし、かつ自局に予め付与されたクロック優先度が高いほど短く設定された期間に亘って、従属同期の基準となるべき入方路の変更を保留する。
【００５１】
このような期間には、複数Ｐの入方路の内、同期制御手段１２が従属同期の基準としている入方路を介して与えられた特定のクロック優先度は、複数Ｑの伝送路をそれぞれ介して後続する伝送区間に送信手段１４-1〜１４-Qによって引き続いて中継される。
すなわち、何らかの障害に起因して先行する伝送区間から与えられるクロック優先が低下した後には、付与されたクロック優先度が高いノード装置ほど自局が従属同期の基準とすべき入方路を先行して確定することができるので、クロック優先度が低いノード装置ほど従属同期の基準となる入方路を無用に切り替える可能性性が小さくなる。
【００５２】
請求項３に記載の発明にかかわるノード装置では、請求項２に記載のノード装置において、同期制御手段１２は、複数Ｐの入方路の内、従属同期の基準として適用した入方路を保持し、かつ期間が経過した時点で最大のクロック優先度を与える入方路が複数あるときには、その時点で保持されている入方路を優先的に適用する。
【００５３】
すなわち、複数Ｐの入方路あるいは複数Ｑの出方路の何れかが冗長に敷設された伝送路に接続され、あるいは先行する伝送区間あるいは後続する伝送区間の何れかにクロック優先度とが重複して付与された場合であっても、従属同期の基準となるべき入方路の無用の変更が回避される。
請求項４に記載の発明にかかわるノード装置では、請求項１ないし請求項３に記載のノード装置において、受信手段１１-1〜１１-Pは、複数Ｐの入方路の内、同期制御手段１２が従属同期の基準として適用している入方路を介して与えられる信号については、その他の入方路を介して与えられる信号より先行してクロック優先度の抽出を行う。
【００５４】
すなわち、先行する伝送区間で何らかの障害が発生し、あるいはその障害が復旧した場合であっても、上述した複数Ｐの入方路を介して個別に先行する伝送区間の伝送遅延時間、あるいはこれらの先行する伝送区間に配置されたノード装置の応答性の相違が吸収されるので、従属同期の基準となるべき入方路が無用に変更される可能性が小さくなる。
【００５５】
請求項５に記載の発明にかかわるノード装置では、請求項１ないし請求項４の何れか１項に記載のノード装置において、受信手段１１-1〜１１-Pは、伝送単位の語長Ｌと、複数Ｐの入方路を介して先行する伝送区間および複数Ｑの出方路を介して後続する伝送区間に配置され得るノード装置の最大の台数Ｎと、これらの入方路および出方路を含んでなる伝送路で生じ得る伝送遅延時間の最大値Ｄとに対して、語長が（Ｎ・Ｌ＋Ｄ）以上であり、かつ自己相関特性が急峻であると共に、複数Ｐの入方路を介して個別に受信された信号に含まれる第一のバイオレーションビットを抽出する。
【００５６】
また、同期制御手段１２は、受信手段１１-1〜１１-Pによって受信された信号の内、従属同期の基準として適用している入方路を介して受信された信号について、上述した第一のバイオレーションビットが正常に含まれているか否かを判別し、その判別の結果が偽であるときにこの従属同期の基準となるべき入方路を変更する。さらに、送信手段１４-1〜１４-Qは、複数Ｑの出方路に送信されるべき伝送単位に、受信手段１１-1〜１１-Pによって抽出された第一のバイオレーションビットの内、同期制御手段１２が上述した従属同期の基準として適用している入方路を介して与えられた第一のバイオレーションビットを付加する。
【００５７】
ところで、このような第一のバイオレーションビットの語長は、自局によって行われる中継処理の下で複数Ｐの入方路と複数Ｑの出方路とを介して形成される伝送系において生じ得る最大の伝送遅延時間を上回る。
したがって、これらの入方路を介して先行する伝送区間と出方路を介して後続する伝送区間とに配置されたノード装置では、このような第一のバイオレーションビットが正常に受信されているか否かを判別することによって、自局に先行する伝送区間に配置された何れかのノード装置が不正規な入方路に対して従属同期をとっている状態を確度高く識別することが可能となる。
【００５８】
請求項６に記載の発明にかかわるノード装置では、請求項１ないし請求項５の何れか１項に記載のノード装置において、受信手段１１-1〜１１-Pは、伝送単位の語長Ｌと、複数Ｐの入方路を介して対向する何れかのノード装置との間、あるいはこれらの入方路に先行する何れかの伝送区間に配置され、かつ互いに隣接する複数のノード装置の間に形成された特定の伝送区間に配置され得るノード装置の最大の台数ｎと、その特定の伝送区間で生じ得る伝送遅延時間の最大値ｄとに対して、語長が（ｎ・Ｌ＋ｄ）以上であり、かつ自己相関特性が急峻であると共に、これらの入方路を介して個別に受信された信号に含まれる第二のバイオレーションビットを抽出する。
また、同期制御手段１２は、受信手段１１-1〜１１-Pによって受信された信号の内、従属同期の基準として適用している入方路を介して受信された信号について、上述した第二のバイオレーションビットが正常に含まれているか否かを判別し、その判別の結果が偽であるときにこの従属同期の基準となるべき入方路を変更する。さらに、送信手段１４-1〜１４-Qは、複数Ｑの出方路に送信されるべき伝送単位に、受信手段１１-1〜１１-Pによって抽出された第二のバイオレーションビットの内、同期制御手段１２が上述した従属同期の基準として適用している入方路を介して与えられた第二のバイオレーションビットを付加する。
【００５９】
したがって、これらの出方路を介して後続する伝送区間に配置された個々のノード装置では、このような第二のバイオレーションビットが正常に受信されているか否かを判別することによって、請求項５に記載の発明に適用された第一のバイオレーションビットの語長に相当する期間に比べて短い期間内に、先行する特定の伝送区間に配置された何れかのノード装置が不正規な入方路に対して従属同期をとっている状態を確度高く識別することが可能となる。
【００６０】
請求項７に記載の発明にかかわるノード装置では、請求項１ないし請求項６の何れか１項に記載のノード装置において、同期制御手段１２は、複数Ｐの入方路の内、従属同期の基準として適用されている入方路を介して受信されたシーケンス番号について、これらの入方路を介して先行する伝送区間の構成の下で過渡的に不正常な値をとり得る最大の期間Ｕ以上の期間に亘ってその不正常な値を無効化する。
【００６１】
したがって、先行する伝送区間に配置された何れかのノード装置で従属同期の基準となる入方路が変更され、あるいは障害の発生や復旧が生じた場合であっても、その先行する伝送区間を介して過渡的に不正常な値をとるクロック優先度に応じて無用にその入方路が変更されることが回避される。
【００６２】
【発明の実施の形態】
以下、図面に基づいて本発明の実施形態について詳細に説明する。
【００６３】
図２は、請求項１〜７に記載の発明に対応した実施形態を示す図である。
図において、伝送路１０１-R、１０１-Lについては、機能および構成が図８に示す従来例と同じであるので、同じ符号を付与して示し、ここではその説明を省略する。
本実施形態と図８に示す従来例との構成の相違点は、請求項１に記載の発明に対応した実施形態については、マスタノード装置１００-1に代えてマスタノード装置７１-1が備えられ、準マスタノード装置１００-2、１００-3に代えて準マスタノード装置７１-2、７１-3が備えられ、スレーブノード装置１０２-1〜１０２-5に代えてスレーブノード装置７２-1〜７２-5が備えられた点にある。
【００６４】
準マスタノード装置７１-3と図９に示す準マスタノード装置１０１-3との構成の相違点は、図３に示すように、伝送路対応部１０３-3R、１０３-3Lの制御出力がバイオレーション抽出部７３-3の入力に接続され、そのバイオレーション抽出部７３-3が有する２つの出力と単一の制御出力とがそれぞれ中継選択部７４-3と系構成制御部１１０-3との対応する入力に接続され、シーケンス番号生成部７５-3および多重化部７６-3R、７６-3Lがそれぞれシーケンス番号生成部１０９-3および多重化部１１１-3R、１１１-3Lに代えて備えられ、中継選択部７４-3の出力がシーケンス番号生成部７５-3のロード端子とセレクタ７７-3の一方の入力とに接続され、シーケンス番号生成部７５-3の出力がバイオレーション生成部７８-3の一方の入力に接続され、そのバイオレーション生成部７８-3の他方の入力に系構成制御部１１０-3の局モード出力Ｍが接続され、セレクタ７７-3の他方の入力と選択入力とにそれぞれバイオレーション生成部７８-3の出力と系構成制御部１１０-3の局モード出力Ｍ、Ｓが接続され、このセレクタ７７-3の出力が多重化部７６-3R、７６-3Lの対応する入力に接続され、中継選択部７４-3の選択入力に中継選択部１０７-3の選択入力に直結された点にある。
【００６５】
なお、マスタノード装置７１-1および準マスタノード装置７１-2の構成については、準マスタノード装置７１-3の構成と同じであるので、以下では、対応する構成要素に添え番号「１」、「２」がそれぞれ付加された同じ符号を付与して示し、ここでは、その説明を省略する。
また、準マスタノード装置７１-3とスレーブノード装置７２-1〜７２-5との構成の相違点については、従来例における記述の相違点と同じであるので、ここでは、その説明を省略する。
【００６６】
さらに、本実施形態と図１に示すブロック図との対応関係については、例えば、準マスタノード装置７１-3においては、伝送路対応部１０３-3R、１０３-3Lは受信手段１１-1〜１１-Pおよびシーケンス番号処理部１０４-3に対応し、ＩＤ抽出部１０５-3および系構成制御部１１０-3は同期制御手段１２に対応し、シーケンス番号生成部７４-3はシーケンス番号生成手段１３に対応し、中継選択部１０７-3、セレクタ７７-3、１０８-3および多重化部７６-3R、７６-3Lは送信手段１４-1〜１４-Qに対応し、ＩＤ抽出部１０５-3は監視手段２１に対応する。
【００６７】
以下、図２および図３を参照して請求項１に記載の発明に対応した本実施形態の動作を説明する図である。
マスタノード装置７１-1では、系構成制御部１１０-1は従来例と同様にして局モード情報Ｍを出力する。
この局モード情報Ｍが与えられている状態では、シーケンス番号生成部７５-1は位相同期発振器１１５-1によって生成されたフレーム同期信号に同期してシーケンス番号を生成し、かつバイオレーション生成部７８-1はこのシーケンス番号に同期し、かつマルチフレームとして所定のビット列を示す２つのバイオレーションビットＶ１、Ｖ２を生成する。さらに、セレクタ７７-1はこれらのバイオレーションビットＶ１、Ｖ２を選択し、かつセレクタ１０８-1はシーケンス番号生成部７５-1によって生成されたシーケンス番号を選択する。
【００６８】
多重化部７６-1R は、図４に網掛けを付して示すように、このようにして自局で生成されたバイオレーションビットＶ１、Ｖ２とシーケンス番号とがクロック優先度ｓおよび伝送情報ｓＲと共に含まれるフレームを生成し、そのフレームを伝送路１０１-Rの後続する伝送区間に送出する。
【００６９】
さらに、多重化部７６-1L は、同様にバイオレーションＶ１、Ｖ２とシーケンス番号とがクロック優先度ｓおよび伝送情報ｓＬと共に含まれるフレームを生成し、そのフレームを伝送路１０１-Lの後続する伝送区間に送出する。
また、準マスタノード装置７１-Kおよびスレーブノード装置７２-kでは、系構成制御部１１０-K、１１０-kは、それぞれ従来例と同様にして系選択信号に併せて、局モード情報Ｓを出力する。
【００７０】
伝送路対応部１０３-KR、１０３-kRと伝送路対応部１０３-KL、１０３-kLとは、伝送路１０１-R、１０１-Lの先行する伝送区間から受信されたフレームからそれぞれ伝送情報ｒＲおよび伝送情報ｒＬ以外のものを含む組み合わせを抽出し、これらの組み合わせをバイオレーション抽出部７３-K、７３-kに与える。
バイオレーション抽出部７３-K、７３-kは、これらの組み合わせから図４に示すフレーム構成に基づいて２組のバイオレーションビットＶ１、Ｖ２の対を抽出する。中継選択部７４-K、７４-kは、これらの対の内、上述した系選択信号に対応する一方の対に含まれるバイオレーションビットＶ１、Ｖ２を中継処理の対象として選択する。
【００７１】
さらに、準マスタノード装置７１Ｋでは、シーケンス番号生成部７５-Kは位相同期発振器１１５-Kによって生成されたフレーム同期信号に併せて、中継選択部７４-Kによって選択されたバイオレーションビットの変化点に同期してシーケンス番号を生成し、かつバイオレーション生成部７８-Kは既述のバイオレーションビットＶ１、Ｖ２の生成を行わない。
【００７２】
セレクタ７７-Kは中継選択部７４-Kによって選択されたバイオレーションビットＶ１、Ｖ２を選択し、かつセレクタ１０８-Kはシーケンス番号生成部７５-K、７５-kによって生成されたシーケンス番号を選択する。
【００７３】
多重化部７６-KR は、図４に網掛けを付して示すように、このようにして従属同期の基準として選択されている先行する伝送区間から与えられたバイオレーションビットＶ１、Ｖ２に併せて、自局で生成されたシーケンス番号がクロック優先度Ｓおよび伝送情報ｓＲと共に含まれてなるフレームを生成し、そのフレームを伝送路１０１-Rの後続する伝送区間に送出する。
【００７４】
また、多重化部７６-KL は、同様に先行する伝送区間から与えられたバイオレーションＶ１、Ｖ２と自局で生成されたシーケンス番号とがクロック優先度Ｓおよび伝送情報ｓＬと共に含まれてなるフレームを生成し、そのフレームを伝送路１０１-Lの後続する伝送区間に送出する。
一方、スレーブノード装置７２-kでは、系構成制御部１１０-kによって上述した局モード情報Ｓが出力されているときには、シーケンス番号生成部７５-kは位相同期発振器１１５-kによって生成されたフレーム同期信号に併せて、中継選択部７４-kによって選択されたバイオレーションビットの変化点に同期してシーケンス番号を生成し、かつバイオレーション生成部７８-kは既述のバイオレーションビットＶ１、Ｖ２の生成を行わない。
【００７５】
セレクタ７７-kは中継選択部７４-kによって選択されたバイオレーションビットＶ１、Ｖ２を選択し、かつセレクタ１０８-kは中継選択部１０７-kによって選択されたシーケンス番号を選択する。
多重化部７６-kR は、図４に網掛けを付して示すように、クロック優先度ｓおよび伝送情報ｓＲに併せて、このようにして従属同期の基準となっている先行する伝送区間から与えられたバイオレーションビットＶ１、Ｖ２とシーケンス番号ｓとが含まれるフレームを生成し、そのフレームを伝送路１０１-Rの後続する伝送路に送出する。
【００７６】
また、多重化部７６-kL は、クロック優先度Ｓおよび伝送情報ｓＬに併せて、同様に先行する伝送区間から与えられたバイオレーションＶ１、Ｖ２とシーケンス番号ｓとが含まれるフレームを生成し、そのフレームを伝送路１０１-Lの後続する伝送路に送出する。
【００７７】
したがって、マスタノード装置７１-1によって生成されたバイオレーションビットＶ１、Ｖ２は伝送区間Ａ〜Ｈに順次中継されるが、シーケンス番号については、それぞれマスタノード装置７１-1および準マスタノード装置７１-Kによって個別に生成され、かつ後続する準マスタノード装置あるいはマスタノード装置との間に形成される単一または複数の伝送区間に限って伝送される。
【００７８】
さらに、準マスタノード装置７１-Kでは、バイオレーション抽出部７３-Kは、抽出されたバイオレーションビットＶ１、Ｖ２が既述のマルチフレームとして正常なビット列で与えられているか否かを判別し、これらの判別の結果を系構成制御部１１０-Kに与える。
系構成制御部１１０-Kは、その判別の結果が「偽」である場合には、従来例においてシーケンス番号処理部１０４-Kが与えるシーケンス番号の正否の判断の結果が「偽」である場合と同様にして、系構成を更新することによって、従属同期の基準となるべき入方路を適正に更新し、かつ維持する。
【００７９】
また、準マスタノード装置７１-Kおよびスレーブノード装置７２-kでは、シーケンス番号処理部１０４-K、１０４-kは、それぞれ先行する伝送区間の全てから個別に受信されたシーケンス番号が正常であるか否かを判別し、その判別の結果を系構成の更新に際して適用されるべき情報として系構成制御部１１０-K、１１０-kに与える。
【００８０】
しかし、このようなシーケンス番号は、上述したように先行する伝送区間に隣接して配置されたマスタノード装置７１-1と準マスタノード装置７１-Kとの間、あるいは異なる準マスタノード装置の間に形成される伝送区間に限って伝送される。
したがって、本実施形態によれば、マスタノード装置７１-1、準マスタノード装置７１-Kあるいはこれらのマスタノード装置７１-1、準マスタノード装置７１-Kに先行する伝送区間に何らかの障害が発生した場合であっても、この伝送区間に後続する伝送区間に対する擾乱の波及が確度高く回避され、これらの伝送区間に配置された何れかのノード装置が正規ではない入方路を従属同期の基準として稼働し続ける状態（以下、このような状態に陥ったノード装置を「非従属ノード装置」という。）の検出に併せて、その状態からの脱却が既述のバイオレーションビットＶ１、Ｖ２の監視の下で達成される。
【００８１】
なお、本実施形態では、バイオレーションビットＶ１、Ｖ２として与えられるビット列およびそのビット列の語長が何ら示されていないが、このようなビット列については、上述した非従属ノード装置が発生している状態が所望の確度で検出されるならば、如何なるビットパターンとして与えられてもよい。
以下、請求項２、３に記載の発明に対応した実施形態について説明する。
【００８２】
請求項２、３に記載の発明に対応した実施形態と請求項１に記載の発明に対応した実施形態との構成の相違点は、例えば、準マスタノード装置７１-3については、図３に示すように、系構成制御部１１０-3に代えて系構成制御部７９-3が備えられ、その系構成制御部７９-3の選択出力と中継選択部７４-3、１０７-3、セレクタ１１２-3およびＩＤ抽出部１０５-3の選択入力との段間に従属方路保持部８０-3が配置され、系構成制御部７９-3のトリガ出力と従属方路保持部８０-3のトリガ入力との間にガードタイマ部８１-3が備えられた点にある。
【００８３】
ガードタイマ部８１-3では、最終段として備えられたゲート回路８２-3の一方の入力と初段として備えられたタイマ８３-3の入力とに系構成制御部７９-3のトリガ出力が接続され、そのタイマ８３-3の出力がゲート回路８２-3の他方の入力に接続され、このタイマ８３-3の制御入力には、系構成制御部７９-3の局モード出力Ｍ、Ｓに併せて、従属方路警報（図示されない監視制御部によって与えられる。）が与えられる。
【００８４】
なお、マスタノード装置７１-1および準マスタノード装置７１-2の構成については、準マスタノード装置７１-3の構成と同じであるので、以下では、対応する構成要素に添え番号「１」、「２」がそれぞれ付加された同じ符号を付与して示し、ここでは、その説明および図示を省略する。
また、準マスタノード装置７１-3とスレーブノード装置７２-1〜７２-5との構成の相違点については、従来例における記述の相違点と同じであるので、ここでは、その説明を省略する。
【００８５】
なお、本実施形態と図１に示すブロック図との対応関係については、例えば、準マスタノード装置７１-3については、系構成制御部７９-3、従属方路保持部８０およびガードタイマ部８１-3が同期制御手段１２に対応する点を除いて、請求項１に記載の発明に対応した実施形態における対応関係と同じである。
以下、図２および図３を参照して請求項２、３に記載の発明に対応した本実施形態の動作を説明する。
【００８６】
マスタノード装置７１-1、準マスタノード装置７１-Kおよびスレーブノード装置７２-kでは、系構成制御部７９-1、７９-K、７９-kは、請求項１に記載の発明に対応した実施形態と同様にして系選択信号を出力する。
従属方路保持部８０-1、８０-K、８０-kは後述する時点でこのような系選択信号を保持する。さらに、中継選択部７４-1，７４-K、７４-k、１０７-1、１０７-K、１０７-kおよびセレクタ１１２-1、１１２-K、１１２-kは、それぞれ従属方路保持部８０-1、８０-K、８０-kを介して与えられる系選択信号に応答して従属先の入方路を介して得られたバイオレーションビットＶ１、Ｖ２と、シーケンス番号と、クロック信号とを選択する。また、このように従属方路保持部８０-1、８０-K、８０-kに保持された系選択信号は、ＩＤ抽出部１０５-1，１０５-K、１０５-kおよび系構成制御部７９-1、７９-K、７９-kに与えられる。
【００８７】
マスタノード装置７１-1では、伝送路１０１-R、１０１-Lあるいは自局の何れかに何らかの障害が発生した場合には、系構成制御部７９-1は、後続する伝送区間に送出すべきクロック優先度Ｓとして、自局に予め割り付けられたクロック優先度「１」より小さい値（ここでは、簡単のため、「１０」であると仮定する。）を多重化部７６-1R、７６-1Lに与える。したがって、マスタノード装置７１-1から伝送路１０１-R、１０１-Lに送出されるクロック優先度は、「１」から「１０」に変化する。
【００８８】
スレーブノード装置７２-1では、系構成制御部７９-S1 は、ＩＤ抽出部１０５-S1 によって抽出され、かつ自局が従属同期の基準としている入方路から受信されたクロック優先度が上述したように「１」から「１０」に変化したことを識別すると、ガードタイマ部８１-1に計時の開始を指令するが、後続する伝送区間に中継されるべきクロック優先度ｓについては、その時点で従属方路保持部８０-S1 に保持されている系選択信号で示されるクロック優先度に保つ。
【００８９】
また、系構成制御部７９-S1 は、従属方路保持部８０-S1 に保持された系選択信号で示されるクロック優先度と、ＩＤ抽出部１０５-S1 によって与えられ、かつ刻々と変化し得るクロック優先度との内、最も高いクロック優先度を適宜選択すると共に、その選択されたクロック優先度を示す系選択信号を従属方路保持部８０-S1 に与える。
【００９０】
ガードタイマ部８１-S1 では、系構成制御部７９-S1 から与えられる局モード情報が従局を示すので、タイマ８３-S1 はその局モード情報に予め対応つけられたインターバルαに亘って計時を行い、かつゲート回路８２-S1 は上述した指令が有効である状態においてその計時が完了したときに、その旨を従属方路保持部８０-S1 に通知する。従属方路保持部８０-S1 は、その通知が与えられた時点で、系構成制御部７９-S1 によって与えられている系選択信号を保持すると共に、その系選択信号を中継選択部７４-S1、１０７-S1 およびセレクタ１１２-S1、ＩＤ抽出部１０５-S1 に与える。
【００９１】
なお、スレーブノード装置７２-2の各部において行われる動作については、スレーブノード装置７２-1の応答時間と、転送区間Ｂの伝送遅延時間との和に等しい時間に亘って時間軸上の起点が遅れるが、そのスレーブノード装置７２-1で既述の通りに行われる動作と同じであるので、ここでは、その説明を省略する。
したがって、マスタノード装置７１-1から送出され、かつ「１」から「１０」に更新されたクロック優先度は、上述したインターバルαにほぼ等しい期間に亘って、スレーブノード装置７２-1、７２-2を介して準マスタノード装置７１-3に伝達される。
【００９２】
準マスタノード装置７１-3では、系構成制御部７９-3によって与えられる局モード情報が従局として稼働すべき準主局を示すために、各部の動作については、ガードタイマ部８１-3に備えられたタイマ８３-3に設定されるインターバルの値が既述のαより小さい値βに設定される点を除いて、スレーブノード装置７２-1について既述された通りであるので、ここでは、その説明を省略する。
【００９３】
さらに、準マスタノード装置７１-3に後続する伝送区間に配置されたスレーブノード装置７２-3〜７３-5および準マスタノード装置７１-2の各部の動作は、それぞれスレーブノード装置７２-1および準マスタノード装置７１-3によって既述の通りに行われる動作と同じである。
すなわち、上述したインターバルα、βが共に、伝送区間Ａ〜Ｈの伝送遅延時間の和と、準マスタノード装置７１-Kおよびスレーブノード装置７２-kがそれぞれ行う中継処理の所要時間との総和に比べて十分に小さい場合には、準マスタノード装置７１-Kおよびスレーブノード装置７２-kでは、マスタノード装置７１-1がクロック優先度を「１」から「１０」に変更した時点を起点としてβ以上の期間に亘って、従属同期の基準となる入方路を切り替える系構成の変更が保留される。しかし、インターバルβの計時が完了した時点では、準マスタノード装置７１-2が系構成制御部７９-2の主導の下で代替の主局として稼働し始め、かつ準マスタノード装置７１-3が引き続いて準主局として稼働する。さらに、インターバルαの計時が完了した時点には、スレーブノード装置７２-1〜７２-5は、このようにして先行して確定された準マスタノード装置７１-Kの局モードに適応して何れも引き続いて従局として稼働し続けることを確定することができる。
【００９４】
このように本実施形態によれば、先行する伝送区間を介して与えられるクロック優先度が変化した場合には、準マスタノード装置７１-Kおよびスレーブノード装置７２-kは、暫定的に従属先となるべき系の更新を保留し、その準マスタノード装置７１-Kの局モード（主局あるいは準主局として稼働すべきこと）が確定した後に、スレーブノード装置７２-kが局モードを確定する。
【００９５】
したがって、マスタノード装置７１-1とそのマスタノード装置７１-1に直近の準マスタノード装置７１-3との間の伝送区間Ａ〜Ｃに配置されたスレーブノード装置７２-1、７２-2以外のスレーブノード装置７２-3〜７３-5では、局モードが無用に変更されることなく、先行して確定された直近の準マスタノード装置の局モードに適合した局モードが直接設定される。
【００９６】
さらに、本実施形態では、準マスタノード装置７１-Kおよびスレーブノード装置７２-kでは、先行して適用されていた系選択信号が従属方路保持部８０-K、８０-kに保持され、かつ系構成制御部７９-K、７９-kは、それぞれインターバルα、βに亘る計時が完了した時点で従属方路保持部８０-K、８０-kに保持されている系選択信号で示されるクロック優先度と、ＩＤ抽出部１０５-K、１０５-kによって抽出された全てのクロック優先度との内、最も高いクロック優先度に対応する系選択信号を出力する。しかし、ＩＤ抽出部１０５-K、１０５-kによって抽出されたクロック優先度が共に上述した最も高いクロック優先度に等しい場合には、系構成制御部７９-K、７９-kは、その時点で従属方路保持部８０-K、８０-kに保持されている系選択信号に等しい系選択信号を優先してこの従属方路保持部８０-K、８０-kに与える。
【００９７】
したがって、本実施形態によれば、伝送路１０１-R、１０１-Lが二重化されているために同じフレームが並行して受信され、あるいは準マスタノード装置７１-Kおよびスレーブノード装置７２-kの何れかに錯誤その他によってクロック優先度が重複して割り付けられた場合であっても、従属同期の基準となる系の無用な切り替えが回避される。
【００９８】
なお、本実施形態では、請求項２に記載の発明に併せて、請求項３に記載の発明が適用されているが、伝送路１０１-R、１０１-Lが何ら冗長には構成されず、あるいは準マスタノード装置７１-Kおよびスレーブノード装置７２-kの何れにもクロック優先度が重複して割り付けられない場合には、請求項３に記載の発明は適用されなくてもよい。
【００９９】
以下、請求項４に記載の発明に対応した実施形態について説明する。
本実施形態と請求項１〜３に記載の発明に対応した実施形態との構成の相違点は、例えば、準マスタノード装置７１-3については、ＩＤ抽出部１０５-3に代えてＩＤ抽出部８４-3が備えられ、かつ図２および図３に点線の矢印で示すように、伝送路１０１-R、１０１-Lが伝送区間Ａ〜Ｈの全てに亘って二重化された点にある。
【０１００】
なお、マスタノード装置７１-1および準マスタノード装置７１-2の構成については、準マスタノード装置７１-3の構成と同じであるので、以下では、対応する構成要素に添え番号「１」、「２」がそれぞれ付加された同じ符号を付与して示し、ここでは、その説明を省略する。
また、準マスタノード装置７１-3とスレーブノード装置７２-1〜７２-5との構成の相違点については、従来例における記述の相違点と同じであるので、ここでは、その説明を省略する。
【０１０１】
以下、図２および図３を参照して請求項４に記載の発明に対応した本実施形態の動作を説明する。
マスタノード装置７１-1、準マスタノード装置７１-Kおよびスレーブノード装置７２-kでは、伝送路対応部１０４-1R、１０４-KR、１０４-kR、１０４-1L、１０４-KL、１０４-kL、バイオレーション抽出部７３-1、７３-K、７３-k、シーケンス番号処理部１０４-1、１０４-K、１０４-k、セレクタ１１２-1、１１２-K、１１２-k、ＩＤ抽出部８４-1、８４-K、８４-k、系構成制御部７９-1、７９-K、７９-kおよび多重化部７６-1R、７６-KR、７６-kR、７６-1L、７６-KL、７６-kLは、上述したように二重化された伝送路１０１-R、１０１-Lにそれぞれ対応する４つの方路に適応し、かつ既述の通りの動作を行う。
【０１０２】
したがって、従属方路保持部８０-1、８０-K、８０-kには、これらの４つの方路を択一的に示す系選択信号が保持される。
準マスタノード装置７１-Kおよびスレーブノード装置７２-kでは、ＩＤ抽出部８４-K、８４-kは、伝送路対応部１０４-KR、１０４-kR、１０４-KL、１０４-kLからこれらの方路に個別に対応して与えられる４つの組み合わせを取り込み、これらの組み合わせを「従属方路保持部８０-K、８０-kに保持され、かつ自局が従属同期の基準とする方路から与えられた組み合わせ」（以下、「優先組み合わせ」という。）と、「その他の入方路から与えられた組み合わせ」（以下、「非優先組み合わせ」という。）とに区分する。
【０１０３】
さらに、ＩＤ抽出部８４-K、８４-kは、優先組み合わせについては、請求項１〜３に記載の発明に対応した実施形態と同様にしてクロック優先度（以下、「従属先クロック優先度」という。）を抽出する。しかし、ＩＤ抽出部８４-K、８４-kは、非優先組み合わせについては、例えば、伝送区間Ａ〜Ｈの内、先行する伝送区間とその伝送区間に配置された先行するノード装置とにおいて４つの方路の間に生じ得る最大の伝送遅延時間の差以上に亘って、上述した従属先クロック優先度が抽出された時点から遅れた時点に、クロック優先度（以下、「非優先クロック優先度」という。）を抽出する。
【０１０４】
したがって、本実施形態によれば、マスタノード装置７１-1、準マスタノード装置７１-Kおよびスレーブノード装置７２-kでは、これらの何れかに障害が発生し、あるいは何らかの障害からの復旧がはかられた場合であっても、先行して自局が従属同期の基準として選択していた入方路から得られるクロック優先度を時間軸上で確実に先行して取得することができるので、先行する伝送区間から与えられるクロック優先度の変化に応じて行われ得る無用な従属先の変更が回避される。
【０１０５】
以下、請求項５、６に記載の発明に対応した実施形態について説明する。
本実施形態と請求項１に記載の発明に対応した実施形態との構成の相違点は、マスタノード装置７１-1および準マスタノード装置７１-Kに、バイオレーション生成部７８-1、７８-Kに代わるバイオレーション生成部７８Ａ-1、７８Ａ-Kが備えられた点にある。
【０１０６】
以下、請求項５、６に記載の発明に対応した本実施形態の動作を説明する。
マスタノード装置７１-1および準マスタノード装置７１-Kでは、バイオレーション生成部７８Ａ-1、７８Ａ-Kは、
・  伝送路１０１-R、１０１-Lの上に配置され得るノード装置（マスタノード装置、準マスタノード装置およびスレーブノード装置の全てを含む。）の最大の台数Ｎと、
・  これらの伝送路１０１-R、１０１-Lを介して伝送され得るフレームの最大の語長Ｌと、
・  マスタノード装置７１-1、準マスタノード装置７１-2〜７１-3、スレーブノード装置７２-1〜７２-5および伝送路１０１-R、１０１-Lの全てで生じ得る最大の伝送遅延時間Ｄと、
・  伝送路１０１-R、１０１-Lの内、マスタノード装置７１-1とそのマスタノード装置７１-1に隣接する準マスタノード装置との間、あるいは隣接する準マスタノード装置の間に形成される伝送区間（以下、「特定の伝送区間」という。）に配置され得る最大のノード装置（マスタノード装置、準マスタノード装置およびスレーブノード装置の全てを含む  。）の数ｎと、
・  これらの特定の伝送区間で生じ得る最大の伝送遅延時間ｄ（ノード装置の応答時間を含む。）と
に対して、図５に示すように、「特定の論理値（ここでは、簡単のため「１」であると仮定する。）をとる周期Ｔ」が（ＮＬ＋Ｄ）以上であるビット列をマルチフレームとして示すバイオレーションビットＶ１と、同様に特定の論理値をとる周期ｔが（ｎＬ＋ｄ）以上であるビット列をマルチフレームとして示すバイオレーションビットＶ２とを並行して生成する。
【０１０７】
なお、周期Ｔ、ｔについては、以下では、簡単のため、それぞれ１０２４フレーム周期に相当する１２８ミリ秒と、２５６フレーム周期に相当する３２ミリ秒とであると仮定する。
マスタノード装置７１-1および準マスタノード装置７１-Kでは、バイオレーション抽出部７３-1、７３-Kは、図６に示すように、前方４段および後方４段の同期保護の適用の下で上述したマルチフレームにかかわる同期をとることによって、伝送路１０１-R、１０１-Lの先行する伝送区間からそれぞれ受信されたバイオレーションビットＶ１、Ｖ２が正常に受信されているか否かを判別し、これらの判別の結果の全てが「真」である場合には、何ら特別な処理を行わない。
【０１０８】
しかし、これらの判別の結果の何れかが「偽」である場合には、バイオレーション抽出部７３-1、７３-Kはその旨を系構成制御部１１０-1、１１０-Kに通知し、これらの系構成制御部１１０-1、１１０-Kは伝送路１０１-R、１０１-Lの後続する伝送路に送出されるべきクロック優先度ｓの値を所定の低い値に更新する。これらの後続する伝送区間に配置されたスレーブノード装置７２-kおよび準マスタノード装置７１-Kでは、系構成制御部１１０-k、１１０-Kが既述の通りに系選択信号を更新することによって従属先の入方路を変更するので、伝送路１０１-R、１０１-Lの構成およびこれらの伝送路１０１-R、１０１-Lに配置され得るノード装置の構成、台数その他の組み合わせに対して、柔軟に適応しつつ非従属ノード装置の消失が確度高く達成される。
【０１０９】
また、バイオレーションビットＶ２については、上述した特定の伝送区間について、配置され得る最大のノード装置の台数ｎと、生じ得る最大の伝送遅延時間ｄとに基づいて周期ｔが決定されるので、伝送路１０１-R、１０１-Lの双方あるいは何れか一方が二重化された場合であっても、「隣接した複数のノード装置が共に非従属ノード装置となった状態」が確度高く、かつ効率的に解消される。
【０１１０】
なお、本実施形態では、請求項５、６に記載の発明が共に適用されているが、非従属ノード装置が所望の確度や速度で消失するならば、これらの請求項の何れか一方が適用されてもよい。
また、本実施形態では、バイオレーションビットＶ１、Ｖ２は、それぞれフレーム周期の１０２４倍と２５６倍とに相当する周期で単一のフレーム周期のみに亘って論理値が「１」となるビット例として与えられているが、周期が既述のＴ、ｔであり、かつ自己相関特性が急峻であるあるならば、如何なるビット列として与えられてもよい。
【０１１１】
以下、請求項７に記載の発明に対応した実施形態について説明する。
本実施形態と請求項１に記載の発明に対応した実施形態との構成の相違点は、例えば、準マスタノード装置７１-3については、シーケンス番号処理部１０４-3に代えてシーケンス番号処理部８５-3が備えられた点にある。
なお、マスタノード装置７１-1、準マスタノード装置７１-2およびスレーブノード装置７２-1〜７２-5の構成については、準マスタノード装置７１-3の構成と同じであるので、以下では、対応する構成要素に添え番号「１」、「２」、「Ｓ１」〜「Ｓ５」がそれぞれ付加された同じ符号を付与して示し、ここでは、その説明を省略する。
【０１１２】
図７は、請求項７に記載の発明に対応した実施形態の状態遷移図である。
以下、図２、図３および図７を参照して請求項７に記載の発明に対応した本実施形態の動作を説明する。
準マスタノード装置７１-Kでは、シーケンス番号生成部７５-kは、位相同期発振器１１５-Kによって与えられ、かつ自局が従属している方路から抽出されたクロック信号に位相同期したフレーム同期信号に同期するシーケンス番号を既述のシーケンス番号ｓとして生成する。
【０１１３】
さらに、バイオレーション生成部７８-Kは、系構成制御部１１０-Kによって与えられる局モード情報に応じて自局が主局として稼働すべき期間には、上述したシーケンス番号ｓに同期したマルチフレームとして後続する伝送区間に送出されるべきバイオレーションビットＶ１、Ｖ２を生成する。
したがって、準マスタノード装置７１-Kでは、自局が従属する入方路を介して先行する伝送区間に何らかの障害が発生したために、系構成制御部１１０-Kの主導の下で従属先の入方路を変更した場合には、その準マスタノード装置７１-Kに後続する伝送区間に送出されるべきシーケンス番号ｓとバイオレーションビットＶ１、Ｖ２との位相は、これらの入方路を介して先行する伝送区間の伝送遅延時間の相違等に起因して変動する。なお、以下では、このようにして位相が変動する現象を「位相跳躍」という。
【０１１４】
また、この位相跳躍が発生した準マスタノード装置と、その準マスタノード装置に後続する伝送区間に配置された直近の準マスタノード装置（以下、「後続準マスタノード装置」という。）と間に形成された特定の伝送区間に配置されたスレーブノード装置（以下、「後続スレーブノード装置」）では、その位相跳躍を識別することなく先行する伝送区間から受信されたシーケンス番号が異常に変化したと誤認識し、そのために無用に従属先の入方路を変更する可能性がある。
【０１１５】
しかし、本実施形態にかかわる後続準マスタノード装置（以下、簡単のため符号「７１-C」を付与して示すこととする。）では、シーケンス番号処理部８５-Cは、先行する特定の伝送区間から受信されたシーケンス番号の識別と、そのシーケンス番号の更新の検出とについては、以下の(1)〜（6）に列記するアルゴリズムに基づいて行う。
【０１１６】
(1) シーケンス番号が何ら識別されていない状態（以下、「初期状態Ｓ０」という。）においては、連続して受信された３つのフレームに含まれるシーケンス番号が正常（既述の通り、リサイクリックに更新されている。）場合に限って、そのシーケンス番号を識別する（図７Ｓ１〜Ｓ３）。
【０１１７】
(2) 一旦シーケンス番号が識別された状態（以下、「識別状態Ｓ３」という。）においては、連続して受信された３つのフレームに含まれるシーケンス番号が何れも正常ではない場合、あるいは連続する３つのフレーム周期に亘ってシーケンス番号が何ら得られなかった場合に限って、「初期状態Ｓ０」に復帰する（図７Ｓ４、Ｓ５、Ｓ０）。
【０１１８】
(3) 「識別状態Ｓ３」においては、受信されたフレームに含まれるシーケンス番号が正常ではない（例えば、既述の位相跳躍に起因するが、このような場合における該当するシーケンス番号については、以下、「跳躍シーケンス番号」という。）場合には、その跳躍シーケンス番号を基準として後続するシーケンス番号の正常性を判別すると共に、さらに後続して受信された連続する３つのフレームに含まれるシーケンス番号が正常である場合には、「仮識別状態Ｓ８」に移行する（図７Ｓ４、Ｓ６〜Ｓ８）。
【０１１９】
(4) 「仮識別状態Ｓ８」では、「さらに後続するＮ個あるいはｎ個のフレームに含まれるシーケンス番号が共に正常である条件（非従属ノード装置が発生した場合には成立しない。）」が成立するか否かを判別し、その判別の結果が真である場合に限って、再び「識別状態Ｓ３」に移行する。
(5) 「識別状態Ｓ７」において、跳躍シーケンス番号、あるいはその跳躍シーケンス番号に相当するシーケンス番号が受信され、かつ「仮保護状態Ｓ８」に移行する前に異なる跳躍シーケンス番号（その跳躍シーケンス番号と見なされ得るシーケンス番号を含む。）が受信され、さらに、後続して正規の予測通りのシーケンス番号が２回あるいは３回受信された場合には、図７に示す状態Ｓ６あるいはＳ７を起点として既述の「仮識別状態Ｓ４」に相当する「仮識別状態Ｓ１２」に移行する（図９  Ｓ９〜Ｓ１２）。
【０１２０】
(6) 「仮識別状態Ｓ１２」では、上記(4) に既述の条件の下で「識別状態Ｓ３」
に移行する。
このように本実施形態によれば、先行する伝送区間を介して直近の準マスタノード装置が従属先を変更した際に生じる位相跳躍は、非従属ノード装置の発生に起因する位相跳躍との峻別が確度高くはかられつつ吸収される。
【０１２１】
したがって、本実施形態によれば、請求項１〜６に記載の発明に対応した実施形態に比べて、準マスタノード装置７１-Kおよびスレーブノード装置７２-kにおいて行われ得る無用な従属先の変更がさらに確度高く回避される。
なお、本実施形態では、バイオレーションビットＶ１、Ｖ２については、クロック生成部１０６-K、１０６-kによって生成されるシステムクロックＳＣＬＫおよびフレーム同期信号の精度および安定性が十分高いことを前提して、上述したアルゴリズムに基づく処理が何ら施されていないが、シーケンス番号とこれらのバイオレーションビットＶ１、Ｖ２との組み合わせについて、同様のアルゴリズムが適用されてもよい。
【０１２２】
また、上述した実施形態では、伝送路１０１-R、１０１-Lによって形成されるべき網のトポロジーが示されていないが、複数の伝送路の末端あるいは中継点において従属同期方式に基づいて伝送情報の送信、受信および中継を行うノード装置が配置されるならば、本願発明には、如何なるトポロジーの伝送系にも適用可能である。
【０１２３】
さらに、本願発明では、伝送路１０１-R、１０１-Lについては、
・  二重化その他の冗長な構成が適用されているか否か、
・  シンプレックス方式とデュプレックス方式との何れの通信方式が適用されているか、
・  ＳＴＭとＡＴＭとの何れの伝送方式が適用されているか
によって何ら制約されることなく、メタリックな伝送路、光伝送路、無線伝送路から構成され、あるいは伝送区間の一部がこれらの何れかの伝送路の混在の下で構成されてもよい。
【０１２４】
また、上述した各実施形態では、図３に示すように、各構成要素がハードウエアで構成されているが、これらの構成要素の一部もしくは全ては、マイクロプロセッサやＤＳＰによって実行されるソフトウエアとして実現されてもよい。
【０１２５】
【発明の効果】
上述したように請求項１に記載の発明では、先行する伝送区間の何れかに発生した障害に応じてシーケンス番号の値が不正常となった場合であっても、後続する伝送区間で従属同期の基準となる入方路がそのシーケンス番号に応じて無用に変更されることが回避される。
【０１２６】
また、請求項２に記載の発明では、クロック優先度が低いノード装置ほど従属同期の基準となる入方路を無用に切り替える可能性が少なくなる。
さらに、請求項３に記載の発明では、複数Ｐの入方路あるいは複数Ｑの出方路の何れかが冗長に敷設された伝送路に接続され、あるいは先行する伝送区間あるいは後続する伝送区間の何れかにクロック優先度が重複して付与された場合であっても、従属同期の基準となるべき入方路の無用の変更が回避される。
【０１２７】
また、請求項４に記載の発明では、先行する伝送区間で何らかの障害が発生し、あるいはその障害が復旧した場合であっても、複数Ｐの入方路を介して個別に先行する伝送区間の伝送遅延時間、あるいはこれらの先行する伝送区間に配置されたノード装置の応答性の相違が吸収されるので、従属同期の基準となるべき入方路が無用に変更される可能性が小さくなる。
【０１２８】
さらに、請求項５に記載の発明では、先行する伝送区間と後続する伝送区間とに配置されたノード装置は、第一のバイオレーションビットが特定の論理値をとる周期の正否を判別することによって、自局に先行する伝送区間に配置された何れかのノード装置が不正規な入方路に対して従属同期をとっている状態を確度高く識別することができる。
【０１２９】
また、請求項６に記載の発明では、後続する伝送区間に配置された個々のノード装置は、第二のバイオレーションビットが特定の論理値をとる周期の正否を判別することによって、請求項５に記載の発明に比べて短い期間内に、先行する特定の伝送区間に配置された何れかのノード装置が不正規な入方路に対して従属同期をとっている状態を確度高く識別することができる。
【０１３０】
さらに、請求項７に記載の発明では、先行する伝送区間に配置された何れかのノード装置で従属同期の基準となる入方路が変更され、あるいは障害の発生や復旧が生じた場合であっても、その先行する伝送区間を介して過渡的に不正常な値をとるクロック優先度に応じて無用にその入方路が変更されることが回避される。
【０１３１】
したがって、これらの発明が適用された伝送系では、従属同期網が安定に確度高く維持され、伝送品質およびサービス品質に併せて、保守および運用にかかわる作業性の向上のコストダウンとがはかられる。
【図面の簡単な説明】
【図１】請求項１〜７に記載の発明の原理ブロック図である。
【図２】請求項１〜７に記載の発明に対応した実施形態を示す図である。
【図３】ノード装置の構成を示す図である。
【図４】請求項１〜７に記載の発明に対応する実施形態に適用されたフレーム構成を示す図である。
【図５】バイオレーションビットＶ１、Ｖ２のビットパターンの一例を示す図である。
【図６】バイオレーションビットＶ１、Ｖ２の検出処理に適用された前方・後方保護の状態遷移図である。
【図７】請求項７に記載の発明に対応した本実施形態の状態遷移図である。
【図８】従属同期方式が適用された伝送系の構成例を示す図である。
【図９】ノード装置の構成例を示す図である。
【図１０】各伝送区間を介して伝送されるフレームのフレーム構成を示す図である。
【符号の説明】
１１  受信手段
１２  同期制御手段
１３  シーケンス番号生成手段
１４  送信手段
２１  監視手段
７１-1，１００-1  マスタノード装置
７１-2，７１-3，１００-2，１００-3  準マスタノード装置
７２，１０２  スレーブノード装置
７３  バイオレーション抽出部
７４，１０７  中継選択部
７５，１０９  シーケンス番号生成部
７６，１１１  多重化部
７７，１０８，１１２，１１４  セレクタ
７８，７８Ａ  バイオレーション生成部
７９，１１０  系構成制御部
８０  従属方路保持部
８１  ガードタイマ部
８２  ゲート回路
８３  タイマ
８４，１０５  ＩＤ抽出部
８５，１０４  シーケンス番号処理部
１０１  伝送路
１０３  伝送路対応部
１０６  クロック生成部
１１３  クロック発生部
１１５  位相同期発振器（ＰＬＯ）
【図１】
0004248647.tif 000002
【図２】
0004248647.tif 000003
【図３】
0004248647.tif 000004
【図４】
0004248647.tif 000005
【図５】
0004248647.tif 000006
【図６】
0004248647.tif 000007
【図７】
0004248647.tif 000008
【図８】
0004248647.tif 000009
【図９】
0004248647.tif 000010
【図１０】
0004248647.tif 000011